【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
固定型と、
ガイド部によって上下方向にガイドされて、上記固定型に対して昇降する可動型と、
該可動型を昇降させる昇降シリンダーと、
該昇降シリンダーへ作動油を送って、該昇降シリンダーを動作させるポンプと、
該ポンプに接続され、上記作動油を貯留するタンクと、を備えており、
上記昇降シリンダーの一方側ポートには、上記タンク内の作動油を上記ポンプを経由させずに流出させるバイパス配管が接続されており、
上記昇降シリンダーは、上記バイパス配管から流入する作動油によって、上記可動型の自重を受けてピストンロッドを下方へストロークさせるよう構成されていることを特徴とするプレス装置。
【請求項２】
請求項１に記載のプレス装置において、上記固定型と上記可動型との間には、該可動型に押されて上記固定型に向けて下降する従動型が配設されており、
上記昇降シリンダーは、上記バイパス配管から流入する作動油と、上記ポンプから送られる作動油とによって、上記可動型と上記従動型とを連続して下降させるよう構成されていることを特徴とするプレス装置。
【請求項３】
請求項１又は２に記載のプレス装置において、上記昇降シリンダーに接続された他方側配管には、上記可動型が下降する際に、上記昇降シリンダーから上記他方側配管へ流出する作動油の流量を調整する流量調整機構が設けられており、
該流量調整機構によって上記可動型の下降速度を調整するよう構成されていることを特徴とするプレス装置。
【請求項４】
請求項１〜３のいずれか一項に記載のプレス装置において、上記昇降シリンダーは、上記可動型に対して複数個が整列して配設されており、
該複数個の昇降シリンダーに接続された各他方側配管には、上記各昇降シリンダーから上記各他方側配管へ流出する作動油の流量を均一化する流量バランス機構が設けられており、
該流量バランス機構によって、上記可動型が下降する際に上記各昇降シリンダーの一方側ポートに流入する作動油の流量を均一化させるよう構成されていることを特徴とするプレス装置。
【請求項５】
請求項１〜４のいずれか一項に記載のプレス装置において、該プレス装置は、上記昇降シリンダー以外にも、上記固定型に重なる上記可動型に加圧力を付加する加圧シリンダーを備えており、
上記ポンプは、上記加圧シリンダーにも作動油を送るよう構成されていることを特徴とするプレス装置。
【手続補正２】
【補正対象書類名】明細書
【補正対象項目名】０００６
【補正方法】変更
【補正の内容】
【０００６】
本発明は、固定型と、
ガイド部によって上下方向にガイドされて、上記固定型に対して昇降する可動型と、
該可動型を昇降させる昇降シリンダーと、
該昇降シリンダーへ作動油を送って、該昇降シリンダーを動作させるポンプと、
該ポンプに接続され、上記作動油を貯留するタンクと、を備えており、
上記昇降シリンダーの一方側ポートには、上記タンク内の作動油を上記ポンプを経由させずに流出させるバイパス配管が接続されており、
上記昇降シリンダーは、上記バイパス配管から流入する作動油によって、上記可動型の自重を受けてピストンロッドを下方へストロークさせるよう構成されていることを特徴とするプレス装置にある（請求項１）。
【手続補正３】
【補正対象書類名】明細書
【補正対象項目名】０００７
【補正方法】変更
【補正の内容】
【０００７】
上記プレス装置は、固定型、可動型、昇降シリンダー、ポンプ及びタンクを備えた構成において、昇降シリンダーの一方側ポートにバイパス配管を設けることにより、可動型の下降速度を速くする工夫を行っている。
具体的には、バイパス配管は、昇降シリンダーの一方側ポートとタンクとを接続するように設けてある。そして、バイパス配管は、タンク内の作動油を、ポンプを経由させずに昇降シリンダーの一方側ポートへ流出させることができる。また、昇降シリンダーは、バイパス配管から流入する作動油によって、可動型の自重を受けてピストンロッドを下方へストロークさせることができる。
【手続補正４】
【補正対象書類名】明細書
【補正対象項目名】０００８
【補正方法】変更
【補正の内容】
【０００８】
プレス装置によって、ワークに対してプレス加工を行う際には、昇降シリンダーの一方側ポートからタンクへ作動油が戻されるとともに、昇降シリンダーの一方側ポートには、タンクからポンプによって吐出された作動油と、タンクからバイパス配管を経由して流出する作動油とが流入する。
これにより、可動型に作用する重力を利用して、昇降シリンダーにおけるピストンロッドが迅速に下方へストロークし、固定型に向けて可動型を迅速に下降させることができる。また、バイパス配管を設けたという極めて簡単な装置上の工夫によって、可動型の下降速度を向上させることができる。そのため、プレス加工に要するタクト（サイクルタイム）を短縮することができる。
【手続補正５】
【補正対象書類名】明細書
【補正対象項目名】００１２
【補正方法】変更
【補正の内容】
【００１２】
また、上記昇降シリンダーに接続された他方側配管には、上記可動型が下降する際に、上記昇降シリンダーから上記他方側配管へ流出する作動油の流量を調整する流量調整機構が設けられており、該流量調整機構によって上記可動型の下降速度を調整するよう構成されていてもよい（請求項３）。
この場合には、流量調整機構の調整を行い、昇降シリンダーにおけるピストンロッドの下方へのストロークによる可動型の下降速度を適切に調整することができる。また、流量調整機構の調整を行うことにより、タンクからバイパス配管へ流出する作動油によって、可動型の下降速度が速くなりすぎることを防止することができる。
【手続補正６】
【補正対象書類名】明細書
【補正対象項目名】００１３
【補正方法】変更
【補正の内容】
【００１３】
また、上記昇降シリンダーは、上記可動型に対して複数個が整列して配設されており、該複数個の昇降シリンダーに接続された各他方側配管には、上記各昇降シリンダーから上記各他方側配管へ流出する作動油の流量を均一化する流量バランス機構が設けられており、該流量バランス機構によって、上記可動型が下降する際に上記各昇降シリンダーの一方側ポートに流入する作動油の流量を均一化させるよう構成されていてもよい（請求項４）。
この場合には、バイパス配管を適用した複数個の昇降シリンダーを用いる際に、複数個の昇降シリンダーから可動型に対して偏心した荷重が加わることを防止することができる。そして、固定型に対して可動型を、水平方向のバランスを維持して、垂直に下降させることができる。
【手続補正７】
【補正対象書類名】明細書
【補正対象項目名】００１６
【補正方法】変更
【補正の内容】
【００１６】
図１は、プレス装置１における、可動型３２、昇降シリンダー５１、ポンプ４２、タンク４１等の構成を模式的に示す図である。同図において、可動型３２及び後述する従動型３３Ａ〜３３Ｄを重量物Ｗとして簡略的に示す。
同図に示すごとく、昇降シリンダー５１のヘッド側（一方側）ポートは、ヘッド側配管５１１によってポンプ４２に接続されており、昇降シリンダー５１のロッド側（他方側）ポートは、ロッド側配管５１２によってポンプ４２に接続されている。昇降シリンダー５１のヘッド側ポートには、タンク４１内の作動油Ｏをポンプ４２を経由させずに流出させるバイパス配管５１３が接続されている。昇降シリンダー５１は、バイパス配管５１３から流入する作動油Ｏによって、可動型３２の自重Ｗを受けてピストンロッド５１６を下方へストロークさせるよう構成されている。